(57)【要約】【課題】  ＩＣタグをより有効に活用することが可能な情報提示システムを提供する。【解決手段】  素材データ登録システムにより、素材データとタグＩＤを対応付けて素材データ記憶手段１０に登録するとともに、ＩＣタグＴａ、Ｔｂ、ＴｃにタグＩＤを記録した後、このＩＣタグＴａ、Ｔｂ、Ｔｃを写真等の表示物Ｈａ、Ｈｂ、Ｈｃの裏面に貼着する。この表示物Ｈａ、Ｈｂ、ＨｃをＩＣリーダ６０に近付けると、ＩＣリーダ６０がＩＣタグＴａ、Ｔｂ、ＴｃからタグＩＤを読み取り、素材データ抽出手段７０が、読み取った複数のタグＩＤのいずれにも対応する素材データを素材データ記憶手段１０から抽出し、提示手段８０に提示する。【選択図】  図１
2008047007.tif 000002
【特許請求の範囲】
【請求項１】
タグＩＤを記録したＩＣタグが付されるとともに、所定の情報をその表面に表示した複数の表示物と、
前記表示物の表面に表示された情報と関連する素材データを、前記ＩＣタグに記録されたタグＩＤと対応付けて記録された素材データ記憶手段と、
前記表示物が接近した際に、前記表示物に付されたＩＣタグからタグＩＤを読み取るＩＣリーダと、
前記各ＩＣタグから読み取ることにより得られる複数のタグＩＤのいずれにも対応する素材データを前記素材データ記憶部から抽出する素材データ抽出手段と、
前記抽出した素材データを利用者に対して提示する提示手段と、
を有することを特徴とする情報提示システム。
【請求項２】
前記複数の表示物のうち、少なくとも一つは、その表面に提示内容に関する情報を表示したものであり、さらに少なくとも他の一つは権限に関する情報を表示したものであり、
前記素材データ記憶手段は、提示内容についての表示物のタグＩＤと素材データを対応付けて記録するとともに、権限についての表示物のタグＩＤと権限ランクを対応付け、さらに当該権限ランクと素材データを対応付けて記録したものであり、
前記素材データ抽出手段は、提示内容についての表示物のタグＩＤに対応するとともに、権限についての表示物のタグＩＤから権限ランクを介して得られる素材データを前記素材データ記憶部から抽出するものであることを特徴とする請求項１に記載の情報提示システム。
【発明の詳細な説明】
【技術分野】
【０００１】
本発明は、表面に所定の情報が表示された表示物を複数利用して、その複数の表示物に対応する情報を提示するための技術に関する。
【背景技術】
【０００２】
近年、プラスチック等の基材にコイルパターンを形成し、このコイルと容量素子とにより共振回路を形成して一定周波数の電波を受信し送信することができるように構成された非接触ＩＣタグが急速に普及してきており、様々な用途に利用されている（特許文献１参照）。この非接触ＩＣタグには、各個体を特定するためのＩＤが記録されており、非接触データキャリアやＲＦ−ＩＤとも呼ばれる。
【特許文献１】特開２００５−１０８１８０号公報
【発明の開示】
【発明が解決しようとする課題】
【０００３】
しかしながら、従来の非接触ＩＣタグ（以下、単に「ＩＣタグ」という）の利用手法では、ＩＣタグを十分に有効活用できていないという問題がある。特に、近年小型化して、様々な媒体に添付することができるＩＣタグの活用が十分なものとはなっていない。
【０００４】
そこで、本発明は、ＩＣタグをより有効に活用することが可能な情報提示システムを提供することを課題とする。
【課題を解決するための手段】
【０００５】
上記課題を解決するため、本発明では、タグＩＤを記録したＩＣタグが付されるとともに、所定の情報をその表面に表示した複数の表示物と、前記表示物の表面に表示された情報と関連する素材データを、前記ＩＣタグに記録されたタグＩＤと対応付けて記録された素材データ記憶手段と、前記表示物が接近した際に、前記表示物に付されたＩＣタグからタグＩＤを読み取るＩＣリーダと、前記各ＩＣタグから読み取ることにより得られる複数のタグＩＤのいずれにも対応する素材データを前記素材データ記憶部から抽出する素材データ抽出手段と、前記抽出した素材データを利用者に対して提示する提示手段を有する情報提示システムを提供する。
【発明の効果】
【０００６】
本発明によれば、複数の表示物に付された各ＩＣタグのタグＩＤと、その表示物の内容と関連する素材データを対応付けて登録しておくようにしたので、複数の表示物をＩＣリーダに近付けることにより、その複数の表示物の内容の全てに関連する素材データを提示することとなり、ＩＣタグを十分に有効活用することが可能となるという効果を奏する。
【発明を実施するための最良の形態】
【０００７】
以下、本発明の好適な実施形態について、図面を参照して詳細に説明する。
（システム構成）
まず、第１の実施形態について説明する。図１は、本発明に係る素材データ登録システム、情報提示システムの構成を示す機能ブロック図である。本発明に係る素材データ登録システム、情報提示システムは、汎用のコンピュータに専用のプログラムを搭載し、このコンピュータにＵＳＢポートを介してＩＣリーダ、ＩＣライターを接続することにより実現される。現実には、素材データ登録システム、情報提示システムとしてコンピュータを機能させるプログラムを、パッケージソフトウェアとしてパソコンにインストールすることにより、２つのシステムが図１に示すような構成で実現されることになる。
【０００８】
図１において、１０は素材データ記憶手段、２０はＩＣライター、３０はタグＩＤ登録手段、４０は素材データ選択手段、５０は表示手段、６０はＩＣリーダ、７０は素材データ抽出手段、８０は提示手段、Ｈａ〜Ｈｃは表示物、Ｔａ〜ＴｃはＩＣタグである。図１に示す構成のうち、素材データ記憶手段１０、ＩＣライター２０、タグＩＤ登録手段３０、素材データ選択手段４０、表示手段５０により素材データ登録システムを構成し、素材データ記憶手段１０、ＩＣリーダ６０、素材データ抽出手段７０、提示手段８０により情報提示システムを構成する。
【０００９】
（素材データ登録システム）
まず、素材データ登録システムについて説明する。素材データ記憶手段１０は、素材データを記録した記憶手段であり、現実にはコンピュータに内蔵されたハードディスク等の記憶装置により実現される。素材データ記憶手段１０には、デジタルカメラで撮影した静止画、ビデオカメラで撮影した動画等を素材データとして記憶させることができる。タグＩＤ登録手段３０は、素材データ記憶手段１０から素材データを抽出し、サムネイル画像を生成して、表示手段５０に表示させる機能を有するとともに、素材データ選択手段４０による選択指示に基づき選択された素材データとタグＩＤを対応付けて素材データ記憶手段１０に登録する機能を有している。また、タグＩＤを発生してＩＣライター２０に送信する機能も有している。ＩＣライター２０は、タグＩＤ登録手段３０から受信したタグＩＤを、セットされたＩＣタグに書き込む機能を有している。素材データ選択手段４０は、あるタイトルに対応付ける素材データを選択する機能を有しており、キーボードやマウス等の指示入力機器により実現される。表示手段５０は、液晶ディスプレイ等のコンピュータに付属の表示機器により実現される。
【００１０】
続いて、素材データ登録システムの処理動作について説明する。まず、上述のように、静止画、動画等を素材データとして素材データ記憶手段に記憶させるとともに、図６（ａ）に示すように、素材データを格納した素材ファイル名に対応付けて素材ＩＤ、素材名を素材テーブルに登録しておく。さらに、素材データ登録システムでは、情報提示システムを利用するために、表示物に付すＩＣタグのＩＤと素材データの対応付けを行う。
【００１１】
コンピュータにおいて専用のアプリケーションソフトウェアを実行させると、図２に示すようなメインメニューが表示手段５０に表示される。メインメニューにおいては、図２に示すように、“素材登録”“ＩＣタグ発行” “スライド表示” “設定”の４つのボタンが用意されている。このうち、“素材登録”“ＩＣタグ発行”が素材データ登録システムとしての役割を果たすものである。
【００１２】
メインメニューにおいて、素材登録を選択すると、図３に示すような素材登録画面が表示される。図３に示すように、素材登録画面には、コンボボックスと複数（図の例では２４個）のサムネイルボックスが表示される。この素材登録画面には、コンボボックスで選択されたタイトル（図の例では「温泉旅館」）に対応する素材データがサムネイル画像として表示されることになる。
【００１３】
素材データを新規に登録する場合は、素材登録画面下部に用意されている４つのボタンのうち、“素材の新規追加”ボタンを選択する。すると、図４に示すような素材新規登録／修正画面が表示される。この画面で、ファイル／ＵＲＬ入力欄に、ファイル名を入力すると、そのファイルに記録された素材データが表示される。また、ファイル／ＵＲＬ入力欄に、ＵＲＬを入力すると、そのＵＲＬで特定されるページ画面が表示される。ファイル／ＵＲＬ入力欄に、ファイル名またはＵＲＬが入力された状態で、登録ボタンを選択することにより、そのファイル名またはＵＲＬで特定される素材データが、図３に示したタイトルと対応付けて登録される。この画面における処理は、素材データ選択手段４０により行われる。なお、素材データとしてＵＲＬで特定されるインターネット上のデータを用いる場合には、図１に示すシステムを構成するコンピュータがインターネットに接続されていることが必要となる。
【００１４】
図２に示したメインメニューにおいて、“ＩＣタグ発行”を選択すると、図５に示すようなＩＣタグ発行画面が表示される。図５に示すように、ＩＣタグ発行画面には、タイトル入力欄と複数（図の例では１２個）のサムネイルボックスが表示される。この素材登録画面には、“素材選択”で選択された素材データがサムネイル画像として表示されることになる。この画面で、“タグ発行”ボタンを選択すると、タグＩＤ登録手段３０は、過去に発生させたタグＩＤと重複しない新規なタグＩＤを発生させ、そのタグＩＤを、ＩＣライター２０にセットされたＩＣタグＴに記録するとともに、発生させた新たなタグＩＤを、そのタイトルに含まれる各素材と対応付ける処理を行う。この結果、図６（ｂ）に示すように、タグＩＤごとに複数の素材ＩＤとの対応付けが行われることになる。このようなタグＩＤと複数の素材ＩＤとの対応付けは、各ＩＣタグＴに付与されるタグＩＤごとに行われる。
【００１５】
（表示物）
続いて、表示物について説明しておく。表示物Ｈは、表面に所定の情報を表示した媒体であり、紙やフィルム等の表面に印刷したり、凹凸を形成することにより、作成されるものである。表示物Ｈとしては、例えば、写真等を用いることができる。この表示物Ｈの裏面には、タグＩＤを記録したＩＣタグＴが貼付されている。
【００１６】
（情報提示システム）
次に、情報提示システムについて説明する。素材データ記憶手段１０は、素材データ登録システムにおいて説明したものと同一であり、素材データをタグＩＤと対応付けて記録した記憶手段である。この素材データとタグＩＤの対応付けは、上述のように、素材データ登録システムにより行われる。ＩＣリーダ６０は、ＩＣタグＴから非接触方式でタグＩＤを読み取る機能を有しており、汎用のＩＣリーダで実現される。
【００１７】
素材データ抽出手段７０は、ＩＣリーダ６０から受け取ったタグＩＤを用いて、素材データ記憶手段１０を検索し、対応する素材データを抽出し、提示手段８０に渡す機能を有している。提示手段８０は、素材データ抽出手段７０から受け取った素材データを利用者に対して提示する機能を有している。提示手段８０としては、素材データが静止画や動画である場合には、表示手段５０と同様、液晶ディスプレイ等を用いることができる。素材データとしては、音声データを採用することもできるが、この場合は、提示手段８０としてスピーカを用いることができる。
【００１８】
次に、情報提示システムの処理動作について具体的な利用例に従って説明する。本システムは、さまざまな用途に用いることができるが、ここでは、旅行代理店での活用例について説明する。例えば、旅行代理店の店舗において、表面に「東北」「宿泊費１０，０００円まで」「温泉」などの条件が表示された表示物Ｈａ、Ｈｂ、Ｈｃを置いておき、顧客が自由に利用できるようにしておく。顧客は、これらの表示物のうち、自分が目的とする表示物のみを選んで、店内に設置してある情報提示システムのＩＣリーダ６０に近付ける。すると、表示物Ｈの裏面に貼付されたＩＣタグＴもＩＣリーダ６０に近付くので、ＩＣリーダ６０は、ＩＣタグＴに記録されたタグＩＤを読み取る。
【００１９】
ここでは、顧客が、表示物Ｈａ、Ｈｂ、Ｈｃを選択し、ＩＣリーダ６０に近付けたとする。すると、表示物Ｈａ、Ｈｂ、Ｈｃの裏面に貼付されたＩＣタグＴａ、Ｔｂ、ＴｃがＩＣリーダ６０に近付くので、ＩＣリーダ６０は、ＩＣタグＴａ、Ｔｂ、Ｔｃに記録されたタグＩＤを読み取る。
【００２０】
ＩＣリーダ６０がＩＣタグＴａ、Ｔｂ、Ｔｃから、それぞれタグＩＤを取得すると、素材データ抽出手段７０は、これらのタグＩＤで素材データ記憶手段１０を検索し、対応する素材ＩＤを抽出する。すなわち、図６（ｂ）に示したようなタグＩＤテーブルを参照して、各タグＩＤに対応する素材ＩＤを抽出する。そして、各タグＩＤについて抽出された素材ＩＤのうち、３つのタグＩＤ全てについて抽出された素材ＩＤを最終的に提示すべき素材ＩＤとして特定する。さらに、素材データ抽出手段７０は、特定された素材ＩＤにより素材テーブルを参照して素材データを抽出する。なお、素材データとしてＵＲＬで特定されるインターネット上のデータを用いる場合には、素材データ抽出手段７０は、素材データ記憶手段１０に記憶されたＵＲＬを取得して、インターネットにアクセスし、対応するサイトから素材データを抽出することになる。
【００２１】
素材データ抽出手段７０が抽出した素材データは、提示手段８０が提示する処理を行う。例えば、素材データが静止画、動画である場合は、ディスプレイに表示する処理を行い、素材データが音声である場合は、スピーカから出力する処理を行うことになる。なお、素材データとしてＵＲＬが設定されている場合は、対応するサイトにアクセスしてデータを取得し、取得したデータが静止画、動画である場合は、ディスプレイに表示する処理を行い、取得したデータが音声である場合は、スピーカから出力する処理を行うことになる。
【００２２】
提示手段８０により提示される素材データは、表示部Ｈａ、Ｈｂ、Ｈｃの表面に表示された内容のいずれにも関連するものであるので、顧客は、自分が希望する内容に適したものだけを閲覧することが可能となる。
【００２３】
（第２の実施形態）
上記実施形態では、全てのタグＩＤに素材ＩＤを直接対応付けて登録した場合について説明したが、タグＩＤ別に異なる種別の情報を対応付けるようにすることも可能である。第２の実施形態では、このような場合について説明する。第２の実施形態においても、システム構成については、第１の実施形態と同様、図１に示したようなものである。第２の実施形態では、まず、素材テーブルにおける登録項目が異なっている。第１の実施形態では、図６（ａ）に示したように、素材ＩＤ、素材名、素材ファイル名が登録されているが、第２の実施形態では、図７（ａ）に示すように、さらに複数の権限ランクが登録されている。権限ランクは、図８に示すような素材新規登録／修正画面で登録する。第２の実施形態における素材新規登録／修正画面は、図４に示した第１の実施形態における素材新規登録／修正画面とほぼ同様であるが、第２の実施形態における素材新規登録／修正画面では、権限ランクの設定欄がある点で異なっている。
【００２４】
また、第１の実施形態では、表示物ＩＣタグは１種類であったが、第２の実施形態では、表示物ＩＣタグは内容別ＩＣタグと権限ＩＣタグの２種類となる。このうち、内容別ＩＣタグについては、第１の実施形態における表示物ＩＣタグと同様、図７（ｂ）に示すように、タグＩＤに素材ＩＤを直接対応付けて登録したものとなっている。権限ＩＣタグについては、図９に示す権限ＩＣタグ発行画面で発行し、図７（ｃ）に示すように、タグＩＤに権限ランクを対応付けて登録したものとなっている。
【００２５】
次に、第２の実施形態における情報提示システムの処理動作について具体的な利用例に従って説明する。第２の実施形態では、例えば、学校において、生徒が質問を提示させて、それに回答し、先生が正解を提示させる場合を考えてみる。この場合、内容別の表示物Ｈｎの表面には、その学習内容の標題が表示されている。また、権限別の表示物Ｈｋａ、Ｈｋｂの表面には、「生徒用」「先生用」等の権限に対応した表示がなされている。
【００２６】
そして、まず、生徒が表示物Ｈｎと表示物Ｈｋａを、ＩＣリーダ６０に近付ける。すると、表示物Ｈｎの裏面に貼付されたＩＣタグＴｎ、ＴｋａもＩＣリーダ６０に近付くので、ＩＣリーダ６０は、ＩＣタグＴｎ、Ｔｋａに記録されたタグＩＤを読み取る。
【００２７】
ＩＣリーダ６０がＩＣタグＴｎ、Ｔｋａから、それぞれタグＩＤを取得すると、素材データ抽出手段７０は、まず、ＩＣタグＴｎのタグＩＤで素材データ記憶手段１０を検索し、対応する素材ＩＤを抽出する。すなわち、図７（ｂ）に示したような内容タグＩＤテーブルを参照して、各タグＩＤに対応する素材ＩＤを抽出する。
【００２８】
続いて、ＩＣタグＴｋａのタグＩＤで素材データ記憶手段１０を検索し、対応する権限ランクを抽出する。すなわち、図７（ｃ）に示したような権限タグＩＤテーブルを参照して、各タグＩＤに対応する権限ランクを抽出する。さらに、抽出した権限ランクで図７（ａ）に示したような素材テーブルを参照して、権限ランクに対応する素材ＩＤを抽出する。
【００２９】
そして、ＩＣタグＴｎのタグＩＤを基に得られた素材ＩＤと、ＩＣタグＴｋａのタグＩＤを基に得られた素材ＩＤで一致するものを最終的に提示すべき素材ＩＤとして特定する。さらに、素材データ抽出手段７０は、特定された素材ＩＤにより素材テーブルを参照して素材データを抽出する。
【００３０】
例えば、表示物Ｈｎの表面には「日本の山」と表示しておき、素材データとしては「日本で一番高い山は？」という質問文を、生徒の権限ランクと対応付けて登録しておくとともに、「富士山」という回答、富士山の画像、富士山の動画、「１０点獲得」という文言を、先生の権限ランクと対応付けて登録しておく。
【００３１】
そして、上述のように、生徒が表示物Ｈｎと表示物Ｈｋａを、ＩＣリーダ６０に近付けると、提示手段８０が「日本で一番高い山は？」を提示する処理を行う。生徒用の表示物Ｈｋａを用いた場合には、この質問文しか提示されないことになる。
【００３２】
生徒が提示された質問に対して回答をした後、先生が生徒が表示物Ｈｎと表示物Ｈｋｂを、ＩＣリーダ６０に近付けると、提示手段８０が回答である「富士山」を提示するとともに、「１０点獲得」という文言を提示する。同時に富士山の画像、富士山の動画が表示される。このように正解を提示させるには、先生用の表示物Ｈｋｂを用いることが必要となる。
【００３３】
以上、本発明の好適な実施形態について説明したが、本発明は上記実施形態に限定されず、種々の変形が可能である。例えば、上記実施形態では、ＩＣタグに単純にタグＩＤを書き込む機能を有するＩＣライター２０にセットしたＩＣタグＴにタグＩＤを書き込むようにし、このＩＣタグＴを表示物Ｈの裏面に貼付するようにしたが、ＩＣタグにタグＩＤを書き込むとともに、これと一体化したシールを作成するＩＣタグ付シール作成装置を、ＩＣライター２０の代わりに用いて、これを表示物Ｈとして用いるようにしても良い。
【００３４】
また、上記実施形態では、情報提示システムを、旅行業界、教育分野において用いる場合を例にとって説明したが、これ以外でも、紙等の実媒体と、データを融合して用いる様々な状況において利用することができる。例えば、プレゼンテーションを行う場合等において有効である。
【図面の簡単な説明】
【００３５】
【図１】本発明に係る情報提示システムの構成を示す機能ブロック図である。
【図２】メインメニューを示す図である。
【図３】素材登録画面を示す図である。
【図４】素材新規登録／修正画面を示す図である。
【図５】ＩＣタグ発行画面を示す図である。
【図６】第１の実施形態における素材データ記憶手段１０内のテーブル構造を示す図である。
【図７】第２の実施形態における素材データ記憶手段１０内のテーブル構造を示す図である。
【図８】第２の実施形態における素材新規登録／修正画面を示す図である。
【図９】権限ＩＣタグ発行画面を示す図である。
【符号の説明】
【００３６】
１０・・・素材データ記憶手段
２０・・・ＩＣライター
３０・・・タグＩＤ登録手段
４０・・・素材データ選択手段
５０・・・表示手段
６０・・・ＩＣリーダ
７０・・・素材データ抽出手段
８０・・・提示手段
【図１】
2008047007.tif 000003
【図２】
2008047007.tif 000004
【図３】
2008047007.tif 000005
【図４】
2008047007.tif 000006
【図５】
2008047007.tif 000007
【図６】
2008047007.tif 000008
【図７】
2008047007.tif 000009
【図８】
2008047007.tif 000010
【図９】
2008047007.tif 000011